(57)【要約】【課題】  セラミックタイルの細孔内に入り込んだ汚れを適確に除去することができると共に、従来のメラミンフォーム材の欠点である成形体の剥離現象を減らして、優れた洗浄効果を発揮できるように工夫した床面洗浄機用パッドを提供する。【解決手段】  床面洗浄機に使用する洗浄用パッド体１１を、圧縮メラミンフォーム材を用いて円盤状で、中央部が円形に刳り貫かれて孔部１１Ａと成っている略ドーナツ形状に形成する。【選択図】      図４
2008099768.tif 000002
【特許請求の範囲】
【請求項１】
モータを駆動してパッド体を高速回転することにより、床面の洗浄を行う床面洗浄機用のパッドであって、
当該パッド体の全体が、圧縮メラミンフォーム材を用いて円盤状で、且つ、中央部が円形に刳り貫かれた略ドーナツ形状に形成されていることを特徴とする床面洗浄機用パッド。
【請求項２】
前記圧縮メラミンフォーム材を用いて略ドーナツ形状に形成されたパッド体の外周を囲むように、洗浄用のブラシを環状に配置して構成したことを特徴とする請求項１に記載の床面洗浄機用パッド。
【請求項３】
モータによって高速回転されるパッド台の底面中央部に弾性部材によって支持されたフォーム支持板を設け、このフォーム支持板に前記圧縮メラミンフォーム材を用いて略ドーナツ形状に構成したパッド体を取付けると共に、上記パッド台の底面外周部には、上記略ドーナツ形状に構成したパッド体の外周を囲むように、前記洗浄用のブラシを環状に配置して取付けたことを特徴とする請求項１又は２に記載の床面洗浄機用パッド。
【請求項４】
モータによって高速回転されるパッド台の底面中央部に、前記圧縮メラミンフォーム材を用いて略ドーナツ形状に形成したパッド体を着脱可能に取付け、このパッド体の外周を囲む上記パッド台の底面外周部分には、弾性部材によって支持された環状のブラシ支持板を設けて、このブラシ支持板に前記洗浄用のブラシを取付けたことを特徴とする請求項１又は２に記載の床面洗浄機用パッド。
【請求項５】
前記圧縮メラミンフォーム材で造られたパッド体の外径と、当該パッド体の中央部に円形に刳り貫き形成された孔部の内径との比が、外径が５００ｍｍのパッド体で少なくとも０．４３以上、外径が４３０ｍｍのパッド体で少なくとも０．４以上、外径が３８０ｍｍのパッド体で少なくとも０．３６以上に構成されていることを特徴とする請求項１、２、３又は４に記載の床面洗浄機用パッド。
【発明の詳細な説明】
【技術分野】
【０００１】
本発明は、走行しながらパッド及びブラシをモータによって高速回転することにより、床面の洗浄を行うことができる床面洗浄機の技術分野で利用されるものであって、具体的には、斯る床面洗浄機に使用して好適なパッドに関するものである。
【背景技術】
【０００２】
オフィスや空港ロビー等の床面を洗浄する床面洗浄機に用いるパッドの素材として、従来より、特許文献１に記載のスポンジや、特許文献２に記載のメラミンフォームが存在し、更には、上記パッドのみの構成に代えて、特許文献３に記載の如く、パッドとブラシを組み合わせて構成した回転盤を回転させて洗浄するようにしたものも存在する。
【特許文献１】特開平７−５１６４０号公報
【特許文献２】特開２００３−１６０６８７号公報
【特許文献３】実開平４−１４０３６号公報
【発明の開示】
【発明が解決しようとする課題】
【０００３】
上記特許文献１に記載されているスポンジ製のパッドは、特にタイルの目地を洗浄することを目的としたものであり、上記特許文献２に記載のメラミンフォーム製のパッドは、手で扱うタワシやスポンジの様に磨り減ったら簡単に交換できる洗浄具として利用価値が高いものの、オフィスや工場等で使用する工業用洗浄機のパッドとしては、摩耗が著しくて不向きである。
【０００４】
また、パッドとステンレス製又は合成樹脂製の剛毛群によって構成されたブラシとの組み合わせから成る円盤体を回転させる上記特許文献３に記載のカーペット用掃除機は、布による洗浄と剛毛ブラシによる洗浄とが相剰して、優れた洗浄効果を発揮することができるが、その使用範囲は専らカーペット用に限られている。
【０００５】
一方、近年普及されてきたセラミックタイルは、耐火性、耐薬品性、耐摩耗性に優れていて、衛生的であり、且つ、光沢に富んでいてワックスを塗布する必要がないため、利用量と利用範囲が年々増大しつつあるが、しかし、セラミックタイルはそのタイル焼成時に内部の気泡が抜けた部分に微細な孔が多数形成され、この微細な孔の部分に汚れが入り込んでタイル表面が黒ずんでしまう問題があった。
【０００６】
ところが、上述した各特許文献に記載された洗浄用パッドの殆どは、ナイロン製或いはポリエステルファイバー製であり、加えて、ブラシも合成樹脂モノフィラメント製の剛毛等で造られていて、繊維及び剛毛の径がいずれも太いため、洗浄時にこれ等パッド或いはブラシが上記セラミックタイルの細孔内に入り込んで、当該細孔内に入っている汚れを除去することができず、汚れが残ってしまう問題があり、加えて、従来のメラミンフォーム材で造ったパッドでは成形体自体に剥離現象が生じてしまう問題もあった。
【０００７】
そこで本発明の技術的課題は、セラミックタイルの細孔内に入り込んだ汚れを適確に除去することができると共に、従来のメラミンフォーム材の欠点である成形体の剥離現象を減らして、優れた洗浄効果を発揮できるように工夫した床面洗浄機用パッドを提供することである。           
【課題を解決するための手段】
【０００８】
（１）  上記の技術的課題を解決するために、本発明の請求項１に係る発明は、モータを駆動してパッド体を高速回転することにより、床面の洗浄を行う床面洗浄機用のパッドであって、当該パッド体の全体が、圧縮メラミンフォーム材を用いて円盤状で、且つ、中央部が円形に刳り貫かれた略ドーナツ形状に形成されていることを特徴としている。
【０００９】
（２）  また、本発明の請求項２に係る発明は、前記圧縮メラミンフォーム材を用いて略ドーナツ形状に形成されたパッド体の外周を囲むように、洗浄用のブラシを環状に配置して構成したことを特徴としている。
【００１０】
（３）  また、本発明の請求項３に係る発明は、モータによって高速回転されるパッド台の底面中央部に弾性部材によって支持されたフォーム支持板を設け、このフォーム支持板に前記圧縮メラミンフォーム材を用いて略ドーナツ形状に構成したパッド体を取付けると共に、上記パッド台の底面外周部には、上記略ドーナツ形状に構成したパッド体の外周を囲むように、前記洗浄用のブラシを環状に配置して取付けたことを特徴としている。
【００１１】
（４）  また、本発明の請求項４に係る発明は、モータによって高速回転されるパッド台の底面中央部に、前記圧縮メラミンフォーム材を用いて略ドーナツ形状に形成したパッド体を着脱可能に取付け、このパッド体の外周を囲む上記パッド台の底面外周部分には、弾性部材によって支持された環状のブラシ支持板を設けて、このブラシ支持板に前記洗浄用のブラシを取付けたことを特徴としている。
【００１２】
（５）  更に本発明の請求項５に係る発明は、前記圧縮メラミンフォーム材で造られたパッド体の外径と、当該パッド体の中央部に円形に刳り貫き形成された孔部の内径との比が、外径が５００ｍｍのパッド体で少なくとも０．４３以上、外径が４３０ｍｍのパッド体で少なくとも０．４以上、外径が３８０ｍｍのパッド体で少なくとも０．３６以上に構成されていることを特徴としている。
【発明の効果】
【００１３】
上記（１）で述べた請求項１に係る発明によれば、床面洗浄機用のパッド体を、圧縮メラミンフォーム材を用いて略ドーナツ形状に形成しているため、洗浄水をこのパッド体の中心部に滴下した場合でも、洗浄水が遠心力で外周方向に拡散して、優れた洗浄効果を発揮することができる。また、圧縮メラミンフォーム材は、従来のメラミンフォームの脆さを改良した素材であり、洗浄機用のパッド体としても組織の剥離や摩耗が少なくて十分に使用に耐えることができ、更に、繊維（の様な１本ごとの糸状の物質）が細いため、床材の細孔に入り込んだ汚水を掻き出して洗浄することができる。
【００１４】
上記（２）で述べた請求項２に係る発明によれば、セラミックタイル等の目地を周速の速い外周側に配置したブラシによって洗浄し、且つ、床材の細孔に入り込んだ汚れを圧縮メラミンフォーム材で造った中央部のパッド体で洗浄できるため、単一のパッドで床材の目地と細孔部の双方を一挙に洗浄できる利点を備えている。
【００１５】
上記（３）で述べた請求項３に係る発明によれば、底面中央部のフォーム支持板と取付台との間に弾性部材が介在されていて、この弾性部材の弾発力によって、フォーム支持板に取付けられている圧縮メラミンフォーム製のパッド体を常時清掃面に押接できるため、使用によってパッド体が多少摩耗したとしても、上記の弾発力でパッド体を清掃面に押し付けることにより、洗浄効果を維持することができる。
【００１６】
上記（４）で述べた請求項４に係る発明によれば、外周側のブラシ支持板と取付台との間に弾性部材が介在されていて、この弾性部材の弾発力によって、ブラシ支持板に取付けられている洗浄用のブラシを常時清掃面に押接できるため、使用によってブラシが多少摩耗したとしても、上記の弾発力でブラシを清掃面に押し付けて洗浄効果を維持することができると共に、パッド体の外周部分が可動になり、目地や凹凸のある清掃部分にブラシを有効に作用できるため、パッドの接地面を傾けることにより、外周側のブラシ部分で清掃面の特定箇所の洗浄にも対応できる利点を発揮することができる。
【００１７】
更に上記（５）で述べた請求項５に係る発明によれば、パッド体の中心部から滴下した洗浄水を十分に拡散して洗浄水を有効活用し、優れた洗浄効果を発揮することができる。一般に、圧縮メラミンフォーム材は吸水性が高く、洗浄水をパッド体の中心部から滴下するとパッド体自体が吸水し、特に中央部に多く吸水し（中央部が膨潤してしまい）、洗浄面全体に広がりにくいが、パッド体の内径／外径の比を外径が５００ｍｍで０．４３以上、４３０ｍｍで０．４以上、又は、３８０ｍｍで０．３６以上にすると、パッド体の吸水が少なくなる。
【００１８】
従って、洗浄水をパッド体の中央部から滴下するタイプの洗浄機に使用しても、パッド体の中心部付近のみでの吸水を少なくでき、吸水したパッド体が重くなり、動きが鈍くなる様なことがなく、十分に洗浄水を拡散でき、洗浄水を有効活用することができる。
【００１９】
以上述べた次第で、本発明に係る床面洗浄機用パッドによれば、圧縮メラミンフォーム材製のパッド体を使用することにより、従来のパッドでは洗浄しきれなかった細孔内に入り込んだ汚れをきれいに除去することができるものであって、パッド体或いはブラシを弾性的に支持して洗浄効果を高めた点、及び、洗浄水を有効的に拡散して、洗浄水の有効活用を可能にした点と相成って、特に、セラミックタイルを用いた床面の洗浄に用いて頗る好適なものである。
【発明を実施するための最良の形態】
【００２０】
以下に、本発明に係る床面洗浄機用パッドの実施の形態を図面と共に説明すると、図１は本発明のパッドを搭載した床面洗浄機の一例を示した斜視図であって、図中、１は床面洗浄機の車体を示し、符号１０で全体的に示したのは、車体１の底面においてモータ２によって高速回転されて床面を洗浄する本発明に係るパッド、３はこのパッドの中央部分に洗浄水（ＣＷ）を送り込む給水ポンプ、４はスキージ５に吸引作用を及ぼすことにより、床面に溜まった洗浄後の汚水（ＤＷ）を吸い取って回収する吸引ブロアーである。
【００２１】
図２は、以上の如く構成した床面洗浄機のパッド１０として、上述した本発明の請求項１に記載の圧縮メラミンフォーム材製のパッドを用いた場合と、従来のスポンジ製パッドを用いた場合と、洗浄用ブラシを用いた場合、及び、本発明の請求項２、３、４に記載の洗浄ブラシ及び圧縮メラミンフォーム材を使用した場合の、以上４通りで洗浄した場合における「細孔汚れの洗浄効果」を、汚染時との色差で比較して表したグラフであって、このグラフによれば、圧縮メラミンフォーム材で造ったパッドの洗浄効果が大きいことが分かる。尚、上記色差による洗浄度合いは、マーキングチョークで擬似汚れを作り、色差計で洗浄前後の色の差を比べて作成した。
【００２２】
また、図３は、上記４通りのパッド１０を用いて洗浄した場合の「目地汚れの洗浄効果」を、汚染時との色差で比較して表したグラフであって、目地汚れに対してはブラシでの洗浄効果が大きいことが分かった。
【００２３】
図４は、上述した「細孔汚れ」と「目地汚れ」の双方に効果がある洗浄用のパッドとして開発された、前記請求項２及び３に記載のパッド１０の構成を説明したものであって、（Ａ）はその底面図、（Ｂ）は側断面図を示す。これ等の図面において、１２は円盤状に形成したパッド台（又はブラシ台）、１３はこのパッド台１２よりも小径に形成され、且つ、パッド台１１の底面中央部に対して、複数本のバネ１４…（弾性部材）によって弾性的に支持された状態で取付けられた円板状のフォーム支持板で、１１は面ファスナー１５を用いてこのフォーム支持板１３の底面に着脱可能に取付けた圧縮メラミンフォーム材製のパッド体である。
【００２４】
このパッド体１１は、例えば特開２００２−５９４４３号公報に開示されているように、メラミンフォームを加熱圧縮することにより、塑性変形して成る圧縮メラミンフォーム材を用いて、中央部に円形に刳り貫かれた孔部１１Ａを有する略ドーナツ形状に形成されている。尚、１２Ａ，１３Ａ，１５Ａは、上記パッド体１１の孔部１１Ａに位置を合わせて、パッド台１２，フォーム支持板１３、面ファスナー１５の各中央部に設けた穴で、前記図１に示した給水ポンプ３によって送られて来る洗浄水ＣＷが、これ等各穴１２Ａ，１３Ａ，１５Ａを通って上記パッド体１１の孔部１１Ａに送り込まれる仕組みに成っている。
【００２５】
更に図中、１６は上記略ドーナツ形状に形成した圧縮メラミンフォーム材製のパッド体１１の外周側を囲むように、上記パッド台１２の外周部に環状に取付けた洗浄用のブラシを示す。
【００２６】
次に、図５は上述した細孔汚れと目地汚れの双方に効果がある洗浄用のパッドとして開発された、前記請求項２及び４に記載のパッド１０の構成を説明したものであって、（Ａ）はその底面図、（Ｂ）は側断面図を示す。これ等の図面において、１１は面ファスナー１５によって前記パッド台又はブラシ台１２の底面に着脱自在に取付けた、全体が略ドーナツ形状に形成された圧縮メラミンフォーム材製のパッド体である。
【００２７】
１７はこのパッド体１１の外周を囲む上記パッド台１２の底面外周部分に、複数本のバネ１９…（弾性部材）によって弾性的に支持された状態で取付けられたブラシ支持板であって、全体は図示の如く中央に大きな穴を形成した略環状を成している。１８は上記パッド体１１の外周を囲むようにこのブラシ支持板１７の底面に取付けた洗浄用ブラシで、前記図１に示した給水ポンプ３によって送られて来る洗浄水ＣＷは、上記パッド台１２と面ファスナー１５の各中央部に設けた穴１２Ａ，１５Ａを通って、上記パッド体１１の孔部１１Ａ内に送り込まれる仕組みに成っている。
【００２８】
図６は、上記パッド体１１の外径φＤと、その孔部１１Ａの内径φｄとの比を説明したものであって、（Ａ）は圧縮メラミンフォーム材で略ドーナツ形状に形成したパッド体１１の底面図、（Ｂ）はその側断面図で、前記請求項５に記載の如く、外径φＤが５００ｍｍ（２０インチ）のパッド体１１の場合は、その比が少なくとも０．４３以上、即ち、φｄ／φＤ≧０．４３に構成され、また、外径φＤが４３０ｍｍ（１７インチ）のパッド体１１の場合は、その比が少なくとも０．４以上、即ち、φｄ／φＤ≧０．４に構成され、更に、外径φＤが３８０ｍｍ（１５インチ）のパッド体１１の場合は、その比が少なくとも０．３６以上、即ち、φｄ／φＤ≧０．３６に構成されている。
【００２９】
図７は、上記圧縮メラミンフォーム材で造ったパッド体１１の内外径比と吸水量の関係を示したグラフであって、実験では洗浄機用のパッド体１１として、一般的な厚さである２０〜３０ｍｍのものを、回転数２５０〜２７０ｒｐｍで回転した。また、図８はパッド体１１の内径／外径比をｙ、外径をｘとして、内外径の値を求める次の式、即ち、
ｙ＝−０．０００００６２ｘ２＋０．００６ｘ−１．０２
をグラフにしたものであって、この式に基づき、パッド体１１の外径寸法φＤから好適な内径寸法φｄを算出することができる。
【００３０】
以上述べた如く、本発明に係る床面洗浄機用パッドは、特にセラミックタイルの洗浄に用いて好適な作用、効果を発揮することができるが、他の床材の洗浄においても同様に利用して、優れた洗浄効果を発揮できることは勿論である。
【図面の簡単な説明】
【００３１】
【図１】本発明に係るパッドを搭載した床面洗浄機の一例を示した斜視図。
【図２】細孔汚れの洗浄効果を比較して示したグラフ。
【図３】目地汚れの洗浄効果を比較して示したグラフ。
【図４】（Ａ）は本発明に係る床面洗浄機用パッドの構成例を示した底面図、（Ｂ）はその側断面図。
【図５】（Ａ）は本発明に係る床面洗浄機用パッドの他の構成例を示した底面図、（Ｂ）はその側断面図。
【図６】（Ａ）は圧縮メラミンフォーム材を用いて構成したパッドの底面図、（Ｂ）はその側断面図。
【図７】圧縮メラミンフォーム材を用いたパッドの内外径比と吸水量の関係を示したグラフ。
【図８】圧縮メラミンフォーム材を用いたパッドの内外径比を算出する計算式を示したグラフ。
【符号の説明】
【００３２】
１            床面洗浄機の本体
２            モータ
１０          洗浄用パッド
１１          圧縮メラミンフォーム材製のパッド体
１１Ａ        孔部
１２          パッド台（ブラシ台）
１３          フォーム支持板
１４，１９    バネ（弾性部材）
１５          面ファスナー
１６，１８    洗浄用ブラシ
１７          ブラシ支持板
【図１】
2008099768.tif 000003
【図２】
2008099768.tif 000004
【図３】
2008099768.tif 000005
【図４】
2008099768.tif 000006
【図５】
2008099768.tif 000007
【図６】
2008099768.tif 000008
【図７】
2008099768.tif 000009
【図８】
2008099768.tif 000010